(57)【要約】【課題】リダイレクト機能により他の受信機へ画像データが転送された場合に、転送状況の確認や転送された画像データの入手作業に係わるユーザ負担を低減できるネットワークファクシミリシステムを提供する。【解決手段】送信端末１０Ａは、第１の受信端末１０Ｂが受信不可のとき、第２の受信端末１０Ｃに代替送信であることを示す情報と画像データとを代替送信する（S3）。第２の受信端末１０Ｃは代替受信の場合は画像データを印刷せずに保存し、その一覧表示や印刷が可能である（S4）。受信可能に復旧した第１の受信端末１０Ｂや第３の受信端末１０Ｄは第２の受信端末１０Ｃに対して第１の受信端末１０Ｂ宛の代替受信した画像データに関する情報の一覧や(S5、S9)、代替受信した画像データの転送を要求（S7、S11)でき、第２の受信端末１０Ｃは該要求に応じて一覧(S6、S10)や、画像データ(S8、S12)を返送する。【選択図】図４
2007324948.tif 000002
【特許請求の範囲】
【請求項１】
セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
前記受信手段で受信された前記送信端末に関する端末識別情報と前記第１の受信端末に関する端末識別情報とを表示する表示手段と
を有する
ことを特徴とするネットワークファクシミリ装置。
【請求項２】
セッション制御プロトコルに基づき、セッション制御を行なうネットワークファクシミリ装置において、
送信端末からの画像データを第１の受信端末にて受信できない場合に、前記送信端末に関する端末識別情報と、前記第１の受信端末に関する端末識別情報と、前記画像データとを第２の受信端末へ送信する送信手段を有する
ことを特徴とするネットワークファクシミリ装置。
【請求項３】
セッション制御プロトコルに基づき、セッション制御を行なうネットワークファクシミリ装置において、
送信端末からの画像データを第１の受信端末にて受信できない場合に、
前記送信端末に関する端末識別情報と、代替送信であることを示す情報と、前記画像データとを受信する受信手段と、
前記受信手段で受信された前記代替送信であることを示す情報に基づいて前記画像データを印刷せずに、保存させる制御を行なう制御手段と
を有する
ことを特徴とするネットワークファクシミリ装置。
【請求項４】
セッション制御プロトコルに基づき、セッション制御を行なうネットワークファクシミリ装置において、
送信端末からの画像データを第１の受信端末にて受信できない場合に、前記送信端末に関する端末識別情報と、代替送信であることを示す情報と、前記画像データとを第２の受信端末へ送信する送信手段を有する
ことを特徴とするネットワークファクシミリ装置。
【請求項５】
セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
前記第１の受信端末からの信号に応じて、前記第１の受信端末に関する端末識別情報に関連する前記画像データの情報を前記第１の受信端末へ送信する送信手段と
を有する
ことを特徴とするネットワークファクシミリ装置。
【請求項６】
セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
第３の受信端末からの信号に応じて、前記第１の受信端末に関する端末識別情報に関連する前記画像データの情報を前記第３の受信端末へ送信する送信手段と
を有する
ことを特徴とするネットワークファクシミリ装置。
【請求項７】
セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
前記第１の受信端末からの信号に応じて、前記第１の受信端末に関する端末識別情報に関連する前記画像データを前記第１の受信端末へ送信する送信手段と
を有する
ことを特徴とするネットワークファクシミリ装置。
【請求項８】
セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
第３の受信端末からの信号に応じて、前記第１の受信端末に関する端末識別情報に関連する前記画像データを前記第３の受信端末へ送信する送信手段と
を有する
ことを特徴とするネットワークファクシミリ装置。
【請求項９】
セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを前記送信端末から受信して保存している第２の受信端末に対して、前記第１の受信端末に関する端末識別情報に関連する前記画像データの情報を送信するように要求する要求信号を送信する要求手段を有する
ことを特徴とするネットワークファクシミリ装置。
【請求項１０】
セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを前記送信端末から受信して保存している第２の受信端末に対して、前記第１の受信端末に関する端末識別情報に関連する前記画像データを送信するように要求する要求信号を送信する要求手段を有する
ことを特徴とするネットワークファクシミリ装置。
【請求項１１】
前記第１の受信端末に関する端末識別情報は、自機の端末識別情報であり、
前記要求手段は、前記第１の受信端末が受信可能になった場合に、前記要求信号を送信する
ことを特徴とする請求項９または１０に記載のネットワークファクシミリ装置。
【請求項１２】
前記第１の受信端末が受信可能であるか否かを判別する状態判別手段をさらに備え、
前記状態判別手段により、前記第１の受信端末が受信可能であると判別された場合に、前記要求手段は前記要求信号を自動的に送信する
ことを特徴とする請求項１１に記載のネットワークファクシミリ装置。
【請求項１３】
前記状態判別手段により、前記第１の受信端末が受信可能であると判別された場合であっても、前記第１の受信端末の設定情報に基づいて、前記要求信号の送信を禁止する
ことを特徴とする請求項１２に記載のネットワークファクシミリ装置。
【請求項１４】
前記第１の受信端末が受信可能であるか否かを判別する状態判別手段と、
前記状態判別手段による判別結果を表示する表示手段と、
前記表示手段に表示された判別結果を見た使用者による前記要求手段にて前記要求信号を送信させる指示を受け付ける受付手段とを有し、
前記要求手段は、前記受付手段で前記指示を受け付けた場合に、前記要求信号を送信する
ことを特徴とする請求項９または１０に記載のネットワークファクシミリ装置。
【請求項１５】
端末識別情報の入力を受ける入力手段をさらに有し、
前記要求信号における前記第１の受信端末に関する端末識別情報は、入力手段にて入力された端末識別情報である
ことを特徴とする請求項９または１０に記載のネットワークファクシミリ装置。
【請求項１６】
送信端末からの画像データを第１の受信端末にて受信できないことを、前記第１の受信端末への接続要求に対するＳＩＰサーバからの応答に基づいて判別する判別手段を有する
ことを特徴とする請求項２または４に記載のネットワークファクシミリ装置。
【請求項１７】
前記第１の受信端末に関する端末識別情報は、代替送信であることを示す情報を兼ねている
ことを特徴とする請求項１、２、５、６、７または８に記載のネットワークファクシミリ装置。
【請求項１８】
前記代替送信であることを示す情報は、前記第１の受信端末に関する端末識別情報を兼ねている
ことを特徴とする請求項３または４に記載のネットワークファクシミリ装置。
【請求項１９】
セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段と、
前記受信手段で受信された前記送信端末に関する端末識別情報と前記第１の受信端末に関する端末識別情報とを表示する表示手段とを有する
ことを特徴とするネットワークファクシミリシステム。
【請求項２０】
セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、代替送信であることを示す情報と、前記画像データとを前記第２の受信端末へ送信する送信手段とを有し、
前記第２の受信端末は、前記送信端末に関する端末識別情報と、代替送信であることを示す情報と、前記画像データとを受信する受信手段と、
前記受信手段で受信された前記代替送信であることを示す情報に基づいて前記画像データを印刷せずに、保存させる制御を行なう制御手段とを有する
ことを特徴とするネットワークファクシミリシステム。
【請求項２１】
セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段を有し、
前記第１の受信端末は、前記第２の受信端末に対して、前記第１の受信端末に関する端末識別情報に関連する前記画像データの情報を送信するように要求する要求信号を送信する要求手段を有し、
前記第２の受信端末はさらに、前記第１の受信端末からの前記要求信号に応じて、前記第１の受信端末に関する端末識別情報に関連する前記画像データの情報を前記第１の受信端末へ送信する送信手段を有する
ことを特徴とするネットワークファクシミリシステム。
【請求項２２】
セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段を有し、
第３の受信端末は、前記第１の受信端末に関する端末識別情報の入力を受ける入力手段と、
前記第２の受信端末に対して、前記入力手段で入力された前記第１の受信端末に関する端末識別情報に関連する前記画像データの情報を送信するように要求する要求信号を送信する要求手段とを有し、
前記第２の受信端末はさらに、前記第３の受信端末からの前記要求信号に応じて、前記第１の受信端末に関する端末識別情報に関連する前記画像データの情報を前記第３の受信端末へ送信する送信手段を有する
ことを特徴とするネットワークファクシミリシステム。
【請求項２３】
セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段を有し、
前記第１の受信端末は、前記第２の受信端末に対して、前記第１の受信端末に関する端末識別情報に関連する前記画像データを送信するように要求する要求信号を送信する要求手段を有し、
前記第２の受信端末はさらに、前記第１の受信端末からの前記要求信号に応じて、前記第１の受信端末に関する端末識別情報に関連する前記画像データを前記第１の受信端末へ送信する送信手段を有する
ことを特徴とするネットワークファクシミリシステム。
【請求項２４】
セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段を有し、
第３の受信端末は、前記第１の受信端末に関する端末識別情報の入力を受ける入力手段と、
前記第２の受信端末に対して、前記入力手段で入力された前記第１の受信端末に関する端末識別情報に関連する前記画像データを送信するように要求する要求信号を送信する要求手段とを有し、
前記第２の受信端末はさらに、前記第３の受信端末からの前記要求信号に応じて、前記第１の受信端末に関する端末識別情報に関連する前記画像データを前記第３の受信端末へ送信する送信手段を有する
ことを特徴とするネットワークファクシミリシステム。
【請求項２５】
前記第１の受信端末は、自機が受信可能な状態にあるか否かを判別する状態判別手段をさらに有し、前記要求手段は、前記状態判別手段により自機が受信可能であると判別された場合に、前記要求信号を送信する
ことを特徴とする請求項２１または２３に記載のネットワークファクシミリシステム。
【請求項２６】
前記第１の受信端末は、前記状態判別手段により、前記第１の受信端末が受信可能であると判別された場合であっても、前記第１の受信端末の設定情報に基づいて、前記要求信号の送信を禁止する
ことを特徴とする請求項２５に記載のネットワークファクシミリシステム。
【請求項２７】
前記第１の受信端末は、前記状態判別手段による判別結果を表示する表示手段と、
前記表示手段に表示された判別結果を見た使用者による前記要求手段にて前記要求信号を送信させる指示を受け付ける受付手段とをさらに有し、
前記要求手段は、前記受付手段で前記指示を受け付けた場合に、前記要求信号を送信する
ことを特徴とする請求項２１または２３に記載のネットワークファクシミリシステム。
【発明の詳細な説明】
【技術分野】
【０００１】
本発明は、セッション制御プロトコルに基づくセッション制御によって通信路を確立してファクシミリ通信を行なうネットワークファクシミリ装置およびネットワークファクシミリシステムに関する。
【背景技術】
【０００２】
ネットワークファクシミリの通信方式の１つとして、セッション制御プロトコル（ＳＩＰ…Session Initiation Protocol）を利用し、送受信機間をインターネットなどのネットワークを介してピア・ツゥ・ピアに接続して画像データを伝送するものがある。
【０００３】
かかるＳＩＰにおいては、ネットワーク上に配置したＳＩＰサーバと呼ばれるサーバ（プロキシサーバ、登録サーバ、ロケーションサーバ、リダイレクトサーバなどで構成される）に送信先のファクシミリ装置を特定するための識別情報（ＳＩＰアドレス、たとえば、公衆回線におけるＦＡＸの電話番号や送信先のユーザ名などに基づくアドレス情報）とＩＰ（Internet Protocol）アドレスとを関連付けて登録しておき、送信機からＳＩＰサーバに対して宛先のＳＩＰアドレスで接続を要求すると、ＳＩＰサーバは送信機から受け取ったＳＩＰアドレスに対応するＩＰアドレスを検索し、該ＩＰアドレスを使用して送信機と宛先の受信機との呼接続を行なうようになっている。
【０００４】
また、ＳＩＰでは、ＳＩＰアドレスと関連付けて登録しておくＩＰアドレスを一時的に代替アドレスに設定変更するリダイレクト機能を提供しており、代替アドレスが設定されたＳＩＰアドレスに対して送信機から接続要求があると、ＳＩＰサーバは、現在一時的に代替アドレスが設定されていることおよびその代替アドレスをリダイレクトレスポンスとして送信機に通知するようになっている。
【０００５】
このようなリダイレクトレスポンスで通知された代替アドレスが示す宛先（リダイレクト宛先）は、送信者の意図に反する送信先である場合があるので、リダイレクトレスポンスが通知された場合に通信を自動的に中断することで、送信者の意図しない宛先へファクシミリ送信が行なわれることを防止したネットワーク対応ファクシミリ装置が提案されている（たとえば、特許文献１参照。）。さらにこの装置では、送信機側で代替アドレスとして許可する許可アドレスを予め登録しておき、リダイレクトレスポンスで通知された代替アドレスが許可アドレスと一致する場合に限り、この代替アドレスが示す宛先へ自動で転送するようになっている。
【０００６】
【特許文献１】特開２００５−９４６６２号公報
【発明の開示】
【発明が解決しようとする課題】
【０００７】
上記の技術では、リダイレクトレスポンスを受けた場合に、予め設定されている許可アドレスを除き、代替アドレスへは転送しないので、送信者の意図しない宛先への送信が防止される。しかしながら、たとえ許可アドレスであっても、代替アドレスが示す宛先へ転送が行なわれると、転送先の受信機においては、受信した画像データが元々自機に対して送信されたものか転送されたものかを区別することができず、受信した画像データを一律に印刷してしまうと、機密保持などの点で問題が生じてしまう。
【０００８】
また、リダイレクト機能により他の受信機へ転送されるように一時的に設定している場合、その間に実際に他の受信機への転送が行なわれたか否かを確認したり、他の受信機へ転送されたが画像データを回収して入手したりするためには、転送先の受信機のある場所までわざわざ出向かなければならず、不便であった。
【０００９】
本発明は、上記の問題に鑑みてなされたものであり、リダイレクト機能により他の受信機へ画像データが転送された場合に、転送状況の確認や転送された画像データの入手作業に係わるユーザ負担を低減することのできるネットワークファクシミリ装置およびネットワークファクシミリシステムを提供することを目的としている。
【課題を解決するための手段】
【００１０】
かかる目的を達成するための本発明の要旨とするところは、次の各項の発明に存する。
【００１１】
（１）セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
前記受信手段で受信された前記送信端末に関する端末識別情報と前記第１の受信端末に関する端末識別情報とを表示する表示手段と
を有する
ことを特徴とするネットワークファクシミリ装置。
【００１２】
上記発明では、当該ネットワークファクシミリ装置は送信端末からの画像データを第１の受信端末で受信できない場合の代替機であり、代替受信に際して送信端末から、該送信端末に関する端末識別情報と、第１の受信端末に関する端末識別情報と、画像データとを受信し、この送信端末の端末識別情報と本来の送信先である第１の受信端末の端末識別情報とを表示手段に表示する。この表示により、ユーザは、当該ネットワークファクシミリ装置が、どの送信端末からどの受信端末へ送信する予定であった画像データを代替受信しているかを確認することができる。
【００１３】
（２）セッション制御プロトコルに基づき、セッション制御を行なうネットワークファクシミリ装置において、
送信端末からの画像データを第１の受信端末にて受信できない場合に、前記送信端末に関する端末識別情報と、前記第１の受信端末に関する端末識別情報と、前記画像データとを第２の受信端末へ送信する送信手段を有する
ことを特徴とするネットワークファクシミリ装置。
【００１４】
上記発明では、当該ネットワークファクシミリ装置は画像データの送信端末であり、自機からの画像データを第１の受信端末で受信できない場合、第１の受信端末の代替機である第２の受信端末に対して、自機に関する端末識別情報と、第１の受信端末に関する端末識別情報と、画像データとを送信する。
【００１５】
（３）セッション制御プロトコルに基づき、セッション制御を行なうネットワークファクシミリ装置において、
送信端末からの画像データを第１の受信端末にて受信できない場合に、
前記送信端末に関する端末識別情報と、代替送信であることを示す情報と、前記画像データとを受信する受信手段と、
前記受信手段で受信された前記代替送信であることを示す情報に基づいて前記画像データを印刷せずに、保存させる制御を行なう制御手段と
を有する
ことを特徴とするネットワークファクシミリ装置。
【００１６】
上記発明では、当該ネットワークファクシミリ装置は送信端末からの画像データを第１の受信端末で受信できない場合の代替機であり、送信端末から代替送信であることを示す情報を受信し、それに応じた制御、たとえば、印刷せずに保存するなどの制御を行なう。
【００１７】
（４）セッション制御プロトコルに基づき、セッション制御を行なうネットワークファクシミリ装置において、
送信端末からの画像データを第１の受信端末にて受信できない場合に、前記送信端末に関する端末識別情報と、代替送信であることを示す情報と、前記画像データとを第２の受信端末へ送信する送信手段を有する
ことを特徴とするネットワークファクシミリ装置。
【００１８】
上記発明では、当該ネットワークファクシミリ装置は画像データの送信端末であり、自機からの画像データを第１の受信端末で受信できない場合、第１の受信端末の代替機である第２の受信端末に対して、代替送信であることを示す情報と共に画像データを送信する。
【００１９】
（５）セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
前記第１の受信端末からの信号に応じて、前記第１の受信端末に関する端末識別情報に関連する前記画像データの情報を前記第１の受信端末へ送信する送信手段と
を有する
ことを特徴とするネットワークファクシミリ装置。
【００２０】
上記発明では、当該ネットワークファクシミリ装置は送信端末からの画像データを第１の受信端末で受信できない場合の代替機であり、第１の受信端末の代わりに送信端末からの画像データを代替受信すると共に、第１の受信端末からの問い合わせ（所定信号の受信）に応じて、該第１の受信端末の代替機として受信した画像データに関する情報を第１の受信端末に通知する。これにより、代替機まで出向くことなく、第１の受信端末から代替受信の状況を確認することができる。
【００２１】
画像データに関する情報は、代替受信されている画像データがどの画像データであるかを第１の受信端末側で認識するために役立つ情報であればよく、たとえば、送信端末のＩＤやアドレス情報、書類名、受信者名、代替受信した日時、ページ数、原稿番号などがある。複数の代替受信が行なわれている場合には、各代替受信についての画像データに関する情報が、たとえば、一覧にして通知される。
【００２２】
（６）セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
第３の受信端末からの信号に応じて、前記第１の受信端末に関する端末識別情報に関連する前記画像データの情報を前記第３の受信端末へ送信する送信手段と
を有する
ことを特徴とするネットワークファクシミリ装置。
【００２３】
上記発明では、当該ネットワークファクシミリ装置は送信端末からの画像データを第１の受信端末で受信できない場合の代替機であり、第１の受信端末の代わりに送信端末からの画像データを代替受信すると共に、第１の受信端末と異なる第３の受信端末からの問い合わせ（所定信号の受信）に応じて、第１の受信端末の代替機として受信した画像データに関する情報を第３の受信端末に通知する。これにより、代替機まで出向くことなく、第１の受信端末に関する代替受信の状況を、第１の受信端末とは別の第３の受信端末から確認することができる。
【００２４】
（７）セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
前記第１の受信端末からの信号に応じて、前記第１の受信端末に関する端末識別情報に関連する前記画像データを前記第１の受信端末へ送信する送信手段と
を有する
ことを特徴とするネットワークファクシミリ装置。
【００２５】
上記発明では、当該ネットワークファクシミリ装置は送信端末からの画像データを第１の受信端末で受信できない場合の代替機であり、第１の受信端末の代わりに送信端末からの画像データを代替受信すると共に、第１の受信端末からの問い合わせ（所定信号の受信）に応じて、該第１の受信端末の代替機として受信した画像データを第１の受信端末に送信する。これにより、代替機まで出向くことなく、第１の受信端末から代替受信に係わる画像データを入手することができる。
【００２６】
（８）セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを受信する受信手段と、
第３の受信端末からの信号に応じて、前記第１の受信端末に関する端末識別情報に関連する前記画像データを前記第３の受信端末へ送信する送信手段と
を有する
ことを特徴とするネットワークファクシミリ装置。
【００２７】
上記発明では、当該ネットワークファクシミリ装置は送信端末からの画像データを第１の受信端末で受信できない場合の代替機であり、送信端末からの画像データを第１の受信端末の代替に受信すると共に、第１の受信端末と異なる第３の受信端末からの問い合わせ（所定信号の受信）に応じて、第１の受信端末の代替機として受信した画像データを第３の受信端末に送信する。これにより、代替機まで出向くことなく、第１の受信端末に関する代替受信の状況を、第１の受信端末とは別の第３の受信端末から入手することができる。
【００２８】
（９）セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを前記送信端末から受信して保存している第２の受信端末に対して、前記第１の受信端末に関する端末識別情報に関連する前記画像データの情報を送信するように要求する要求信号を送信する要求手段を有する
ことを特徴とするネットワークファクシミリ装置。
【００２９】
上記発明では、当該ネットワークファクシミリ装置は送信端末からの画像データを受信できなかった第１の受信端末もしくは代替機以外の第３の受信端末であり、第１の受信端末に関する端末識別情報に基づいて、第２の受信端末に対して、受信した画像データに関する情報を問い合わせる。
【００３０】
（１０）セッション制御プロトコルに基づき、セッション制御を行なうネットワークファクシミリ装置において、
送信端末からの画像データを第１の受信端末にて受信できない場合に、
前記送信端末に関する端末識別情報と、前記第１の受信端末に関する端末識別情報と、前記画像データとを前記送信端末から受信して保存している第２の受信端末に対して、前記第１の受信端末に関する端末識別情報に関連する前記画像データを送信するように要求する要求信号を送信する要求手段を有する
ことを特徴とするネットワークファクシミリ装置。
【００３１】
上記発明では、当該ネットワークファクシミリ装置は送信端末からの画像データを受信できなかった第１の受信端末もしくは代替機以外の第３の受信端末であり、第１の受信端末に関する端末識別情報に基づいて、第２の受信端末に対して、受信した画像データの送信を要求する。
【００３２】
（１１）前記第１の受信端末に関する端末識別情報は、自機の端末識別情報であり、
前記要求手段は、前記第１の受信端末が受信可能になった場合に、前記要求信号を送信する
ことを特徴とする（９）または（１０）に記載のネットワークファクシミリ装置。
【００３３】
上記発明では、当該ネットワークファクシミリ装置は送信端末からの画像データを受信できなかった第１の受信端末であり、自機が受信可能な状態に復帰したとき、代替機である第２の受信端末に対して、自機の代わりに受信した画像データに関する情報を問い合わせる。問い合わせに際して、第１の受信端末は自機に保存されている自機の端末識別情報を第２の受信端末へ送信する。なお、第１の受信端末は受信可能になった場合、ＳＩＰサーバに対して、第２の受信端末をリダイレクト宛先としていた登録を無効にする。
【００３４】
（１２）前記第１の受信端末が受信可能であるか否かを判別する状態判別手段をさらに備え、
前記状態判別手段により、前記第１の受信端末が受信可能であると判別された場合に、前記要求手段は前記要求信号を自動的に送信する
ことを特徴とする（１１）に記載のネットワークファクシミリ装置。
【００３５】
上記発明では、たとえば、紙詰まりのエラーが解除されたか否かを判別し、エラーが解除されて受信可能な状態になったとき、要求信号を自動的に送信する。
【００３６】
（１３）前記状態判別手段により、前記第１の受信端末が受信可能であると判別された場合であっても、前記第１の受信端末の設定情報に基づいて、前記要求信号の送信を禁止する
ことを特徴とする（１２）に記載のネットワークファクシミリ装置。
【００３７】
上記発明では、たとえば、夜間など、時間設定によっては、受信可能な状態となっても要求信号を送信しないようにすることができる。
【００３８】
（１４）前記第１の受信端末が受信可能であるか否かを判別する状態判別手段と、
前記状態判別手段による判別結果を表示する表示手段と、
前記表示手段に表示された判別結果を見た使用者による前記要求手段にて前記要求信号を送信させる指示を受け付ける受付手段とを有し、
前記要求手段は、前記受付手段で前記指示を受け付けた場合に、前記要求信号を送信する
ことを特徴とする（９）または（１０）に記載のネットワークファクシミリ装置。
【００３９】
上記発明では、受信可能か否かの判別結果を表示し、該表示に基づき、ユーザは要求信号を送信するか否かを決定することができる。
【００４０】
（１５）端末識別情報の入力を受ける入力手段をさらに有し、
前記要求信号における前記第１の受信端末に関する端末識別情報は、入力手段にて入力された端末識別情報である
ことを特徴とする（９）または（１０）に記載のネットワークファクシミリ装置。
【００４１】
上記発明では、当該ネットワークファクシミリ装置は送信端末からの画像データを受信できなかった第１の受信端末とは別の端末装置であり、該別の端末装置の操作パネル（入力手段）にて、第１の受信端末に関する端末識別情報を入力し、この入力された端末識別情報を含む要求信号を第２の受信端末へ送信する。
【００４２】
（１６）送信端末からの画像データを第１の受信端末にて受信できないことを、前記第１の受信端末への接続要求に対するＳＩＰサーバからの応答に基づいて判別する判別手段を有する
ことを特徴とする（２）または（４）に記載のネットワークファクシミリ装置。
【００４３】
上記発明では、第１の受信端末への接続要求に対してＳＩＰサーバからリダイレクトレスポンスが返送された場合、送信端末からの画像データを第１の受信端末にて受信できないと判別する。
【００４４】
（１７）前記第１の受信端末に関する端末識別情報は、代替送信であることを示す情報を兼ねている
ことを特徴とする（１）、（２）、（５）、（６）、（７）または（８）に記載のネットワークファクシミリ装置。
【００４５】
（１８）前記代替送信であることを示す情報は、前記第１の受信端末に関する端末識別情報を兼ねている
ことを特徴とする（３）または（４）に記載のネットワークファクシミリ装置。
【００４６】
（１９）セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段と、
前記受信手段で受信された前記送信端末に関する端末識別情報と前記第１の受信端末に関する端末識別情報とを表示する表示手段とを有する
ことを特徴とするネットワークファクシミリシステム。
【００４７】
（２０）セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、代替送信であることを示す情報と、前記画像データとを前記第２の受信端末へ送信する送信手段とを有し、
前記第２の受信端末は、前記送信端末に関する端末識別情報と、代替送信であることを示す情報と、前記画像データとを受信する受信手段と、
前記受信手段で受信された前記代替送信であることを示す情報に基づいて前記画像データを印刷せずに、保存させる制御を行なう制御手段とを有する
ことを特徴とするネットワークファクシミリシステム。
【００４８】
（２１）セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段を有し、
前記第１の受信端末は、前記第２の受信端末に対して、前記第１の受信端末に関する端末識別情報に関連する前記画像データの情報を送信するように要求する要求信号を送信する要求手段を有し、
前記第２の受信端末はさらに、前記第１の受信端末からの前記要求信号に応じて、前記第１の受信端末に関する端末識別情報に関連する前記画像データの情報を前記第１の受信端末へ送信する送信手段を有する
ことを特徴とするネットワークファクシミリシステム。
【００４９】
（２２）セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段を有し、
第３の受信端末は、前記第１の受信端末に関する端末識別情報の入力を受ける入力手段と、
前記第２の受信端末に対して、前記入力手段で入力された前記第１の受信端末に関する端末識別情報に関連する前記画像データの情報を送信するように要求する要求信号を送信する要求手段とを有し、
前記第２の受信端末はさらに、前記第３の受信端末からの前記要求信号に応じて、前記第１の受信端末に関する端末識別情報に関連する前記画像データの情報を前記第３の受信端末へ送信する送信手段を有する
ことを特徴とするネットワークファクシミリシステム。
【００５０】
（２３）セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段を有し、
前記第１の受信端末は、前記第２の受信端末に対して、前記第１の受信端末に関する端末識別情報に関連する前記画像データを送信するように要求する要求信号を送信する要求手段を有し、
前記第２の受信端末はさらに、前記第１の受信端末からの前記要求信号に応じて、前記第１の受信端末に関する端末識別情報に関連する前記画像データを前記第１の受信端末へ送信する送信手段を有する
ことを特徴とするネットワークファクシミリシステム。
【００５１】
（２４）セッション制御プロトコルに基づき、セッション制御を行なう送信端末、第１の受信端末および第２の受信端末を有するネットワークファクシミリシステムにおいて、
前記送信端末は、自機からの画像データを前記第１の受信端末にて受信できないことを判別する判別手段と、
前記判別手段により前記第１の受信端末にて受信できないと判別された場合に、自機に関する端末識別情報と、前記第１の受信端末に関する端末識別情報と、前記画像データとを前記第２の受信端末へ送信する送信手段とを有し、
前記第２の受信端末は、前記送信端末に関する端末識別情報と、前記第１の受信端末に関する端末識別情報と、前記画像データとを受信する受信手段を有し、
第３の受信端末は、前記第１の受信端末に関する端末識別情報の入力を受ける入力手段と、
前記第２の受信端末に対して、前記入力手段で入力された前記第１の受信端末に関する端末識別情報に関連する前記画像データを送信するように要求する要求信号を送信する要求手段とを有し、
前記第２の受信端末はさらに、前記第３の受信端末からの前記要求信号に応じて、前記第１の受信端末に関する端末識別情報に関連する前記画像データを前記第３の受信端末へ送信する送信手段を有する
ことを特徴とするネットワークファクシミリシステム。
【００５２】
（２５）前記第１の受信端末は、自機が受信可能な状態にあるか否かを判別する状態判別手段をさらに有し、前記要求手段は、前記状態判別手段により自機が受信可能であると判別された場合に、前記要求信号を送信する
ことを特徴とする（２１）または（２３）に記載のネットワークファクシミリシステム。
【００５３】
（２６）前記第１の受信端末は、前記状態判別手段により、前記第１の受信端末が受信可能であると判別された場合であっても、前記第１の受信端末の設定情報に基づいて、前記要求信号の送信を禁止する
ことを特徴とする（２５）に記載のネットワークファクシミリシステム。
【００５４】
（２７）前記第１の受信端末は、前記状態判別手段による判別結果を表示する表示手段と、
前記表示手段に表示された判別結果を見た使用者による前記要求手段にて前記要求信号を送信させる指示を受け付ける受付手段とをさらに有し、
前記要求手段は、前記受付手段で前記指示を受け付けた場合に、前記要求信号を送信する
ことを特徴とする（２１）または（２３）に記載のネットワークファクシミリシステム。
【発明の効果】
【００５５】
本発明に係わるネットワークファクシミリ装置およびネットワークファクシミリシステムによれば、リダイレクト機能により他の受信機へ画像データが転送された場合に、転送状況の確認や転送された画像データの入手作業に係わるユーザ負担を低減することができる。
【発明を実施するための最良の形態】
【００５６】
以下、図面に基づき本発明の実施の形態を説明する。
【００５７】
図１は、本発明の実施の形態に係わるネットワークファクシミリ装置１０を含むネットワークファクシミリシステム５の構成例を示している。ネットワークファクシミリシステム５は、セッション制御プロトコルを利用して呼接続を行ない、ネットワーク２を介して送受信機間をピア・ツゥ・ピアに接続して画像情報を伝送するように構成されたファクシミリシステムである。ネットワークファクシミリシステム５は、インターネットなどのネットワーク２にＳＩＰサーバ３０と、複数のネットワークファクシミリ装置１０とを接続して構成される。
【００５８】
ネットワークファクシミリ装置１０は、セッション制御プロトコルに基づいてセッション制御を行なうネットワーク対応型のファクシミリ装置として構成されており、ＣＰＵ（Central Processing Unit）を主要部とする制御部１１に、原稿を光学的に読み取って画像データを取得する画像読み取り部１２と、画像を記録紙に印刷する画像記録部１３と、操作画面の表示とユーザ操作の受け付けを行なう操作表示部１４と、画像データを記憶するメモリやハードディスク装置で構成された画像記憶部１５と、ＳＩＰを利用した通信に関する各種情報を記憶するネットワーク情報記憶部１７と、ネットワーク２を介して他の端末やＳＩＰサーバ３０と各種のデータをやり取りする機能を果たすネットワークＩ／Ｆ制御部１８などを接続して構成される。
【００５９】
なお、画像読み取り部１２は画像読み取りＩ／Ｆ部１２ａを介して、画像記録部１３は画像記録Ｉ／Ｆ部１３ａを介して、操作表示部１４は操作表示Ｉ／Ｆ部１４ａを介して、それぞれ制御部１１に接続されている。
【００６０】
ＳＩＰサーバ３０は、図２に示すように、たとえば、プロキシサーバ３１、登録サーバ３２、ロケーションサーバ３３、リダイレクトサーバ３４などの複数のサーバで構成される。これらの中の複数のサーバの機能を１つにまとめてもかまわない。ＳＩＰにおけるセッションの確立／終了はメソッドとこれに対応する応答とをやり取りすることで行なわれる。
【００６１】
登録サーバ３２は、ネットワークファクシミリ装置１０から、その装置のネットワーク２上における位置情報の登録要求を受け付けるサーバである。位置情報は、自機のＳＩＰアドレス（たとえば、公衆回線における自機の電話番号（ＦＡＸ番号）や当該装置に割り当てられたユーザ名や装置名などに基づくアドレス情報）とネットワーク２上での自機のアドレス情報（ここでは、自機のＩＰアドレス）などを関連付けた情報である。
【００６２】
ロケーションサーバ３３は、登録サーバ３２で受け付けた位置情報を蓄積保存するデータベース機能を備え、プロキシサーバ３１やリダイレクトサーバ３４からの問い合わせに対して、該当する位置情報を提供する機能を果たすサーバである。プロキシサーバ３１はネットワークファクシミリ装置１０からのメソッドや応答を次のサーバに中継する機能を果たす。
【００６３】
ＳＩＰサーバ３０は、送信側のネットワークファクシミリ装置１０から、受信側のネットワークファクシミリ装置１０のＳＩＰアドレスで接続要求を受けると、ロケーションサーバ３３に蓄積保存してある位置情報からそのＳＩＰアドレスに関連付けられているＩＰアドレスを検索し、該ＩＰアドレスを使用して送信側のネットワークファクシミリ装置１０と受信側のネットワークファクシミリ装置１０との呼接続を行なうようになっている。
【００６４】
図３は、ネットワークファクシミリシステム５において送信側のネットワークファクシミリ装置１０Ａから受信側のネットワークファクシミリ装置１０Ｂに対してファクシミリ送信が行なわれる場合の通信手順を示している。送信側のネットワークファクシミリ装置１０Ａは、受信側のネットワークファクシミリ装置１０Ｂに向けてまずメソッドＩＮＶＩＴＥを発行し、セッションの確立を促す。メソッドＩＮＶＩＴＥは、プロキシサーバ３１Ａ、３１Ｂを中継されてネットワークファクシミリ装置１０Ｂに到達する。なお、各プロキシサーバ３１Ａ、３１Ｂは、受け取ったメソッドＩＮＶＩＴＥの送信元に対してそれぞれ、後段へリクエストを転送中であることを示す応答コード１００ＴＲＹＩＮＧを返送するようになっている。
【００６５】
メソッドＩＮＶＩＴＥを受けたネットワークファクシミリ装置１０Ｂは、応答コード１８０ＲＩＮＧＩＮＧをネットワークファクシミリ装置１０Ａに対して送信し、さらに着信するときは応答コード２００ＯＫをネットワークファクシミリ装置１０Ａに送信する。これらはプロキシサーバ３１Ｂ、３１Ａで中継されてネットワークファクシミリ装置１０Ａに到達する。ネットワークファクシミリ装置１０Ａは、応答コード２００ＯＫを受け取ると、ネットワークファクシミリ装置１０Ｂに対して直接メソッドＡＣＫを送信する。これにより、セッションが確立する。
【００６６】
セッション確立後は、任意のプロトコルで画像データのファクシミリ通信が行なわれる。たとえば、ＩＴＵ−Ｔ（International Telecommunication Union-Telecommunication sector）の勧告Ｔ.３７やＴ.３８に準拠したプロトコルが使用される。この例では、ダイレクトＳＭＴＰ（Simple Mail Transfer Protocol）を使用して通信が行なわれている。
【００６７】
ファクシミリ通信の終了後、受信側のネットワークファクシミリ装置１０Ｂから送信側のネットワークファクシミリ装置１０Ａに対してメソッドＢＹＥが送信され、これに対してネットワークファクシミリ装置１０Ａが応答コード２００ＯＫを返信すると、セッションが終了する。
【００６８】
次に、図２に戻り、リダイレクト機能について説明する。
【００６９】
ネットワークファクシミリ装置１０（たとえば、図２のネットワークファクシミリ装置１０Ｂ）は、自機のＳＩＰアドレス（自機の特定情報）と関連付けて、自機と異なる他機の特定情報（ここでは、他機のＩＰアドレス）を一時的にロケーションサーバ３３およびリダイレクトサーバ３４に登録（図２、Ｐ１、Ｐ２）することにより（以後、該登録をリダイレクト設定と呼ぶ。）、自機へのファクシミリ送信が他機のネットワークファクシミリ装置１０Ｃ（リダイレクト宛先）へ転送されるように設定することができる。
【００７０】
ＳＩＰサーバ３０は、このようなリダイレクト設定がなされたネットワークファクシミリ装置１０Ｂに対する接続要求を送信側のネットワークファクシミリ装置１０Ａから受けると（Ｐ３）、リダイレクトサーバ３４からロケーションサーバ３３に対して問い合わせを行ない（Ｐ４、Ｐ５）、ネットワークファクシミリ装置１０ＢのＳＩＰアドレスに関連付けて登録されているリダイレクト宛先１０Ｃの特定情報（他機のＩＰアドレス）をリダイレクトレスポンス（Ｐ６）として送信側のネットワークファクシミリ装置１０Ａに通知する。
【００７１】
ネットワークファクシミリ装置１０Ａは、リダイレクトレスポンスで通知された他機のＩＰアドレスに対してメソッドＩＮＶＩＴＥを発行し直すことで、本来の送信先であるネットワークファクシミリ装置１０Ｂの代替機とされたネットワークファクシミリ装置１０Ｃ（リダイレクト宛先）との間にセッションを確立して（Ｐ７〜Ｐ１４）、画像データを送信することができる。
【００７２】
次に、本実施の形態に係わるネットワークファクシミリシステム５においてリダイレクト設定がなされた受信機に対してファクシミリ送信した場合の動作について説明する。
【００７３】
図４は、ネットワークファクシミリシステム５における各種のデータフローを示している。以後の説明において、送信端末１０Ａは画像データの送信元のネットワークファクシミリ装置、第１の受信端末１０Ｂは、送信端末１０Ａが画像データの送信を試みた本来の送信先のネットワークファクシミリ装置、第２の受信端末１０Ｃは第１の受信端末１０Ｂのリダイレクト宛先に設定されたネットワークファクシミリ装置、第３の受信端末１０Ｄは上記以外のネットワークファクシミリ装置であるものとする。
【００７４】
送信端末１０Ａは、第１の受信端末１０Ｂへの接続要求をＳＩＰサーバ３０に対して行なうが（Ｓ１）、第１の受信端末１０Ｂは第２の受信端末１０Ｃをリダイレクト宛先（転送先）とするリダイレクト設定がなされているので、送信端末１０Ａにはリダイレクトレスポンス（Ｓ２）が通知される。送信端末１０Ａの図示しない判別手段は、接続要求に対してリダイレクトレスポンスを受けたことにより、第１の受信端末１０Ｂにて受信できないことを判別し、送信端末１０Ａは該リダイレクトレスポンスで通知された第２の受信端末１０Ｃに対して代替送信（Ｓ３）を行なう。
【００７５】
この代替送信において送信端末１０Ａは自機に関する端末識別情報と、第１の受信端末１０Ｂに関する端末識別情報と、画像データとを第２の受信端末１０Ｃへ送信するようになっている。端末識別情報は、その端末を特定できる情報であればよく、たとえば、ＳＩＰアドレスが使用される。このほかＩＰアドレス、その端末に割り当てられた名称や番号などでもかまわない。さらに代替送信において、画像データに関する情報、たとえば、ドキュメント名なども送信される。
【００７６】
第２の受信端末１０Ｃは、代替送信に係わる画像データを受信した場合は、代替受信であるという位置付けから、特段の指示や操作がない限りは印刷せずに、この受信した画像データを画像記憶部１５に保存すると共に、この画像データに関する情報をネットワーク情報記憶部１７に保存する。このように受信の後に自動的に印刷されないようにすることで、代替送信に係わる画像データのセキュリティを保つことができる。ユーザは第２の受信端末１０Ｃに出向いてその操作表示部１４から所定の操作を行なうことにより、第２の受信端末１０Ｃで代替受信された画像データに関する情報の一覧を第２の受信端末１０Ｃの操作表示部１４に表示したり、代替受信された画像データを画像記録部１３で印刷したりすることができる（Ｓ４）。このようにすることで、第１の受信端末１０Ｂが画像データを受信できない場合や画像データを印刷できない場合であっても、代替受信をした端末にて画像データに関する情報や画像データを利用することができる。
【００７７】
さらに、第１の受信端末１０Ｂは自機の代わりに第２の受信端末１０Ｃで代替受信されている画像データに関する情報の一覧を第１の受信端末１０Ｂへ送信するように要求する要求信号（一覧要求、Ｓ５）を第２の受信端末１０Ｃに対し送信する機能を有する。第１の受信端末１０Ｂはどの端末をリダイレクト宛先に設定したかを示す情報を記憶しており、該情報に基づいて一覧要求の送信先を認識する。
【００７８】
一方、第２の受信端末１０Ｃは第１の受信端末１０Ｂから一覧要求を受信すると、該当する画像データに関する情報の一覧を含む一覧応答（Ｓ６）を第１の受信端末１０Ｂに送信する機能を備えている。
【００７９】
これらの機能により、ユーザは第２の受信端末１０Ｃへ出向くことなく、第２の受信端末１０Ｃへ転送された画像データが存在するか否かや、どのような画像データが第２の受信端末１０Ｃで代替受信されているかを遠隔の第１の受信端末１０Ｂから確認することができる。係る機能は、第１の受信端末１０Ｂにおいて画像データを受信できない状況が解消された際には、特に有用である。
【００８０】
一覧要求には、本来の送信先である第１の受信端末１０Ｂに関する端末識別情報が含まれており、この端末識別情報に基づき、第２の受信端末１０Ｃは、代替受信している画像データの中から第１の受信端末１０Ｂのリダイレクト宛先として代替受信した画像データに関する情報を選別して、その一覧を作成するように動作する。第１の受信端末１０Ｂは自機の端末識別情報をネットワーク情報記憶部１７などに記憶しており、これを読み出し、自機の端末識別情報を一覧の要求信号に含めて送信している。
【００８１】
画像データに関する情報は、代替受信されている画像データがどの画像データであるかを認識するために役立つ情報であればよく、たとえば、送信端末１０ＡのＩＤやアドレス情報、ドキュメント名、受信者名、代替受信した日時、ページ数、原稿番号などがある。
【００８２】
また、第１の受信端末１０Ｂは自機の代わりに第２の受信端末１０Ｃで代替受信されている画像データを第１の受信端末１０Ｂに送信するように要求するよう要求信号（転送要求、Ｓ７）を第２の受信端末１０Ｃに対し送信する機能を有している。第１の受信端末１０Ｂはどの端末をリダイレクト宛先に設定したかを示す情報を記憶しており、該情報に基づいて転送要求の送信先を認識する。
【００８３】
一方、第２の受信端末１０Ｃは第１の受信端末１０Ｂから転送要求を受信すると、該当する画像データを含む転送応答（Ｓ８）を第１の受信端末１０Ｂに送信する機能を備えている。画像データの転送要求には、一覧要求の場合と同様に、本来の送信先である第１の受信端末１０Ｂに関する端末識別情報が含まれており、この端末識別情報に基づき、第２の受信端末１０Ｃは、代替受信している画像データの中から第１の受信端末１０Ｂのリダイレクト宛先として代替受信した画像データを判別するようになっている。
【００８４】
これらの機能により、ユーザは第２の受信端末１０Ｃへ出向くことなく、第２の受信端末１０Ｃへ転送された画像データを遠隔の第１の受信端末１０Ｂから入手することができる。
【００８５】
一覧要求や転送要求の送信は、第１の受信端末１０Ｂが受信可能な状態になったとき、自動的に送信されるように構成してもよいし、ユーザからの指示に基づいて任意のタイミングで送信するようにしてもよい。
【００８６】
たとえば、第１の受信端末１０Ｂは、自機が画像データを受信可能であるか否かを判別する図示省略の状態判別手段を有しており、この状態判別手段により第１の受信端末１０Ｂが受信可能であると判別された場合に、図示省略の要求手段から要求信号（一覧要求または転送要求）を第２の受信端末１０Ｃに対して自動的に送信するように構成される。
【００８７】
より具体的な例を示すと、第１の受信端末１０Ｂは、紙詰まりなどのエラーが発生して受信不可になったとき、第２の受信端末１０Ｃをリダイレクト宛先とするリダイレクト設定をＳＩＰサーバ３０に対して行なう。この設定は、紙詰まりなどを検出して自動的に行なうとよい。その後、紙詰まりなどのエラーが解除されたか否かを状態判別手段によって判別し、エラーが解除されて受信可能になったとき、代替受信に関する要求信号（一覧要求または転送要求）を第２の受信端末１０Ｃに対して自動送信する。
【００８８】
上記のように制御することで、紙詰まりなどが解消して受信可能な状態になったとき、受信不可であった期間にリダイレクト宛先へ転送が行なわれたか否かを遠隔の第１の受信端末１０Ｂから確認したり、代替受信された画像データを遠隔の第１の受信端末１０Ｂから自動で入手したりすることができる。
【００８９】
なお、状態判別手段により、第１の受信端末１０Ｂが受信可能であると判別された場合であっても、ネットワークファクシミリ装置１０の設定情報に基づいて要求信号（一覧要求または転送要求）の送信を禁止するように構成してもよい。たとえば、要求信号（一覧要求または転送要求）の送信を禁止する時間帯を設定しておき、その時間帯は受信可能な状態になっても要求信号（一覧要求または転送要求）を送信しないように制御する。夜間や休日をこのような時間帯に設定すると有効である。
【００９０】
また、状態判別手段の判別結果を操作表示部１４などの表示手段に表示し、表示された判別結果を見た使用者に要求信号（一覧要求または転送要求）を送信するか否かを判断させ、操作表示部１４などの受付手段を通じて使用者から送信の指示を受け付けた場合に、要求信号（一覧要求または転送要求）を送信するように構成してもよい。
【００９１】
さらに、第３の受信端末１０Ｄは第１の受信端末１０Ｂの代わりに第２の受信端末１０Ｃで代替受信されている画像データに関する情報の一覧を第３の受信端末１０Ｄへ送信するように要求する要求信号（一覧要求、Ｓ９）を第２の受信端末１０Ｃに対して送信する機能を有している。第２の受信端末１０Ｃはこの一覧要求を受信すると、該当する画像データに関する情報の一覧を一覧応答（Ｓ１０）として第３の受信端末１０Ｄに送信する機能を有している。
【００９２】
また、第３の受信端末１０Ｄは第１の受信端末１０Ｂの代わりに第２の受信端末１０Ｃで代替受信されている画像データを第３の受信端末１０Ｄに送信するように要求するよう要求信号（転送要求、Ｓ１１）を第２の受信端末１０Ｃに対して送信でき、第２の受信端末１０Ｃは、この転送要求を受信すると、該当する画像データを含む転送応答（Ｓ１２）を第３の受信端末１０Ｄに送信する機能を備えている。これらにより、ユーザは、第１の受信端末１０Ｂや第２の受信端末１０Ｃに出向くことなく、リダイレクト宛先である第２の受信端末１０Ｃへ転送された画像データが存在するか否かや、どのような画像データが第２の受信端末１０Ｃで代替受信されているかを、第１の受信端末１０Ｂとは別の第３の受信端末１０Ｄから確認することができる。
【００９３】
第３の受信端末１０Ｄは、第３の受信端末１０Ｄの操作表示部１４（入力手段）から本来の送信先である第１の受信端末１０Ｂの端末識別情報を入力し、この入力された端末識別情報を含む要求信号を第２の受信端末１０Ｃへ送信するようになっている。第２の受信端末１０Ｃは、代替受信している画像データの中から、要求信号に含まれている端末識別情報に対応する画像データを検索し、その検索された画像データに関する情報の一覧を作成して第３の受信端末１０Ｄに送信したり、検索された画像データを第３の受信端末１０Ｄへ送信したりする。
【００９４】
次に、図４に示す動作を実現するために各装置で行なわれる処理、及び、装置間でやり取りされる情報について説明する。
【００９５】
本実施の形態では、図４に示す、Ｓ３〜Ｓ１２のやりとりはＳＭＴＰによる電子メールで行なわれる。
【００９６】
図５は、図４のＳ３〜Ｓ１２でやり取りされる電子メールの本文先頭に付加する制御データを列挙した制御データ一覧表４０である。制御データは、当該電子メールが代替送信、一覧要求、転送要求、一覧応答、転送応答のいずれであるかを示すための分類情報と、第１パラメータと、第２パラメータとから構成される。
【００９７】
代替送信の場合は、第１パラメータは画像データの本来の送信先である第１の受信端末１０Ｂの端末識別情報（たとえば、ＳＩＰアドレス）であり、第２パラメータは送信端末１０Ａの端末識別情報である。一覧要求、転送要求、一覧応答、転送応答の場合は、第１パラメータは依頼元の端末識別情報であり、第２パラメータは画像データの本来の送信先であった第１の受信端末１０Ｂの端末識別情報である。
【００９８】
たとえば、代替送信の場合は、メール本文の先頭行にテキストで、「@@@@代替送信、元のＳＩＰアドレス」のようにフォーマットを決めて、これらの文字列をセットする。電子メール本文先頭に付加されたこれらの制御データは、受信機側でチェックされ、これらの文字列がセットされている場合は、相応の動作を行なうようになっている。
【００９９】
なお、一覧要求や転送要求を送信可能な端末を、第１の受信端末１０Ｂ（画像データの本来の送信先であった端末）のみに制限する場合は、他の端末１０Ｄからの要求が発生しない場合は、「依頼元＝本来の送信先」となるので、一覧要求や転送要求は第１パラメータのみでかまわない。また、上記制限の有無にかかわらず、一覧応答および転送応答については、第２パラメータ「元のＳＩＰアドレス」を付加しなくてもかまわない。
【０１００】
図６は、送信端末１０Ａにおける送信動作の流れを示している。送信端末１０Ａは、画像データの送信を行なう際に、まず、リダイレクトサーバ３４に送信先のＳＩＰアドレスを指定して送信先のＩＰアドレスを問い合わせ（ステップＳ１０１）、該問い合わせに対して返送されてくるアドレス情報を受信する（ステップＳ１０２）。
【０１０１】
送信先の第１の受信端末１０Ｂに対してリダイレクト設定（一時的なアドレスの変更）がなされている場合は、先の問い合わせに対する応答として３０２MovedTemporary（リダイレクトレスポンス）が返るので、３０２MovedTemporaryを受信したときは（ステップＳ１０３；Ｙ）、送信先の第１の受信端末１０Ｂが一時的にアドレス変更されていると認識し、代替送信フラグをセットする（ステップＳ１０４）。
【０１０２】
そして、リダイレクトレスポンスにおいて返されたアドレス（この例では、第１の受信端末１０Ｂのリダイレクト宛先に設定されている第２の受信端末１０Ｃのアドレス）に対し、再度、INVITE接続要求をプロキシサーバ３１に行なう（ステップＳ１０６）。接続要求に対して第２の受信端末１０Ｃから２００ＯＫが返ると（ステップＳ１０７）、セッションが確立し、その後は、ダイレクトＳＭＴＰ手順で画像の送信動作を行なう（ステップＳ１０８）。通信が完了すると、図３に示したように、ＢＹＥ／２００ＯＫを送受信して、セッションを開放して一連の送信処理が終了する。
【０１０３】
一方、ステップＳ１０２で受信した内容が３０２MovedTemporaryでない場合は（ステップＳ１０３；Ｎ）、代替送信フラグをクリアする（ステップＳ１０５）。そして、２００ＯＫの受信により（ステップＳ１０７）、当初の送信先である第１の受信端末１０Ｂとの間にセッションが確立すると、その後は、ダイレクトＳＭＴＰ手順で第１の受信端末１０Ｂに対して画像を送信する（ステップＳ１０８）。
【０１０４】
図７は、送信端末１０Ａ、第１の受信端末１０Ｂ、第２の受信端末１０Ｃ、第３の受信端末１０Ｄのそれぞれにおいて電子メールを送信する際に行なわれるＳＭＴＰ送信処理の流れを示している。この処理は、通常のファクシミリ送信、代替送信、一覧要求の送信、一覧応答の送信、転送要求の送信、転送応答の送信など、ＳＭＴＰを用いたすべての送信で使用される。
【０１０５】
まず、ＳＭＴＰサーバにログインし（ステップＳ２０１）、今回の送信が代替送信、一覧要求の送信、一覧応答の送信、転送要求の送信、転送応答のいずれかに該当するのか、これら以外の送信であるのかを判定する（ステップＳ２０２）。代替送信、一覧要求の送信、一覧応答の送信、転送要求の送信、転送応答のいずれかである場合は（ステップＳ２０２；Ｙ）、電子メール本文の先頭行に該当する制御データ（分類情報と第１、第２のパラメータ）をセットする（ステップＳ２０３）。代替送信、一覧要求の送信、一覧応答の送信、転送要求の送信、転送応答のいずれでもない場合、たとえば、通常の画像送信の場合は（ステップＳ２０２；Ｎ）、制御データのセットは行なわない。なお、通常の画像送信か代替送信かは、図６のＳ１０４、Ｓ１０５でセットまたはクリアされた代替送信フラグの状態で判別する。
【０１０６】
次に、送信宛先、発信者情報、Subjectなどのヘッダ情報を設定すると共に、通常の画像送信、代替送信、転送応答のいずれかの場合は該当する画像データを添付して送信する（ステップＳ２０４）。その後、ＳＭＴＰサーバからログアウトして（ステップＳ２０５）処理を終了する。
【０１０７】
図８は、第１の受信端末１０Ｂ、第２の受信端末１０Ｃ、第３の受信端末１０Ｄなどで電子メールを受信する際に行なわれるＳＭＴＰ受信処理を示している。ＳＭＴＰにて電子メールを受信すると、受信した電子メールの本文先頭の制御データを解析し（ステップＳ３０１）、この解析結果により、種々の動作を行なう。詳細には、一覧要求を受信した場合は（ステップＳ３０２；Ｙ）、代替受信している画像データの中で、その画像データの本来の送信先の端末が、今回受信した転送要求の第２パラメータの端末識別情報（ＳＩＰアドレス）が示す端末と一致する画像データを検索する。そして、検索された画像データに関する情報の一覧リストを作成して、当該一覧要求の送信元へメールで送信する（ステップＳ３０３）。
【０１０８】
一覧リストは、テキストデータとして作成され、メール本文に記載される。メール本文の先頭行には、「@@@@一覧応答、依頼元のＳＩＰアドレス、元のＳＩＰアドレス」などと記載され、２行目以降には、存在する受信データ分だけ、「日時、送信ＳＩＰアドレス、画像データのページ数、添付ファイル名」のフォーマットで画像データに関する情報が複数行記載される。
【０１０９】
たとえば、図４の例では、本来の送信先が第１の受信端末１０Ｂであり、そのリダイレクト宛先が第２の受信端末１０Ｃなので、一覧要求の電子メールは第２の受信端末１０Ｃで受信される。一覧要求を受信した第２の受信端末１０Ｃは、代替受信している画像データの中から本来の送信先が第１の受信端末１０Ｂである画像データを検索して一覧リストを作成する。そして、今回受信した一覧要求の送信元が第１の受信端末１０Ｂである場合（図４、Ｓ５）は、この一覧リストを含む一覧応答を第１の受信端末１０Ｂに送信し（Ｓ６）、一覧要求の送信元が第３の受信端末１０Ｄの場合（Ｓ９）は同一覧応答を第３の受信端末１０Ｄに送信する（Ｓ１０）。
【０１１０】
転送要求を受信した場合は（ステップＳ３０４；Ｙ）、代替受信している画像データの中で、その画像データの本来の送信先が、今回受信した転送要求の第２パラメータの端末識別情報（ＳＩＰアドレス）が示す端末と一致する画像データを検索し、検索された画像データを添付した電子メールを、該転送要求の送信元へ転送応答として送信する（ステップＳ３０５）。
【０１１１】
転送応答の送信先のアドレスは、転送要求の電子メール本文の先頭行の第１パラメータ（依頼元のＳＩＰアドレス）から取り出したものを使用する。転送応答として送信する電子メール本文の先頭行には、「@@@@転送応答、依頼元のＳＩＰアドレス、元のＳＩＰアドレス」と記載され、画像データを添付して送信を行なう。受信した画像データが複数個ある場合には、上記記載をその個数分だけ繰り返す。
【０１１２】
図４の例では、転送要求は第２の受信端末１０Ｃで受信される。転送要求を受信した第２の受信端末１０Ｃは、代替受信して保存している画像データの中から本来の送信先が第１の受信端末１０Ｂである画像データを検索する。そして受信した転送要求の送信元が第１の受信端末１０Ｂの場合は、先に検索した画像データを添付した転送応答の電子メールを第１の受信端末１０Ｂに送信し、転送覧要求の送信元が第３の受信端末１０Ｄの場合は同転送応答の電子メールを第３の受信端末１０Ｄに送信する。
【０１１３】
一覧応答を受信した場合は（ステップＳ３０６；Ｙ）、その一覧応答に含まれる一覧リストをネットワーク情報記憶部１７に保存し（ステップＳ３０７）、該保存した一覧リストを画像記憶部１５に表示する（ステップＳ３０８）。たとえば、ユーザが一覧リストの中から所望の画像データを選択すると、その選択された画像データを転送対象に指定した転送要求を、先の一覧応答の送信元に対して送信する。この転送要求を受けた端末は転送対象に指定された画像データを返送する。これにより、一覧リストの中から指定した画像データを遠隔から入手することが可能になる。
【０１１４】
転送応答を受信した場合は（ステップＳ３０９；Ｙ）、この転送応答に含まれる画像データを印刷出力する（ステップＳ３１０）。なお、ユーザの指示や設定により、メモリへ保存してもかまわない。
【０１１５】
代替送信であった場合は（ステップＳ３１１；Ｙ）、受信した画像データは印刷せず、画像記憶部１５に保存する。また、受信した画像データに関する情報をネットワーク情報記憶部１７に保存する（ステップＳ３１３）。すなわち、代替送信の場合は、本来は他機への送信画像であるから、受信機側では、この原稿をプリントアウトせずに保存する。
【０１１６】
一覧要求、転送要求、一覧応答、転送応答、代替送信のいずれでもない場合は（ステップＳ３１１；Ｎ）、通常の受信データであるので、受信した画像データを印刷出力する（ステップＳ３１２）。
【０１１７】
図９は、第２の受信端末１０Ｃの操作表示部１４に受信リストを表示する処理の流れを示している。図８のステップＳ３１３にてネットワーク情報記憶部１７に保存された代替受信の画像データに関する情報をネットワーク情報記憶部１７から読み出して操作表示部１４に表示する（ステップＳ４０１）。
【０１１８】
図１０は、第２の受信端末１０Ｃにおいて、代替受信に関する情報を表示したり、印刷したりする際に操作表示部１４に表示される画面の一例を示している。第２の受信端末１０Ｃは代替受信した画像データを、代替受信ボックスと呼ばれる保存エリアに保存している。ユーザは所定の操作を行なって図１０（ａ）に示すボックス選択画面５０を操作表示部１４に表示させる。その後、この画面５０内の代替受信ボックス釦５１が押下されると、代替受信データ確認画面６０に遷移し、代替受信ボックスに保存されている画像データに関する情報の一覧が表示される。
【０１１９】
図１０（ｂ）は代替受信した画像データが代替受信ボックスに存在しない場合の代替受信データ確認画面６０ａを示し、同図（ｃ）は代替受信した画像データが代替受信ボックスに存在する場合の代替受信データ確認画面６０ｂの一例である。代替受信データ確認画面６０には、受信した画像データ毎に、代替受信ボックス内での管理番号６１、送信元の端末識別情報６２、ドキュメント名６３、受信者の識別情報６４、登録時刻（受信時刻）６５、ページ数６６などが表示される。
【０１２０】
ユーザは、代替受信データ確認画面６０ｂに一覧表示されたものの中から所望の行を押下して画像データを選択すると、図１０（ｄ）の代替受信データ確認画面６０ｃに示すように、選択された箇所の表示態様が変化（図では斜線表示）する。また画面下部に削除釦６７、プリント釦６８、送信釦６９が現れる。ユーザはこれらの釦６７〜６９を操作することで、選択中の画像データをプリントしたり（プリント釦６８押下時）、他のネットワークファクシミリ装置１０へ送信したり（送信釦６９押下時）、削除したり（削除釦６７押下時）することができる。
【０１２１】
なお、一覧応答を受けた第１の受信端末１０Ｂや第３の受信端末１０Ｄには、図１０（ｃ）と同様の画面により、一覧応答に基づく一覧リストが表示される。そして、一覧リストの中から所望の画像データを選択すると、その選択された画像データを転送対象に指定した転送要求が第２の受信端末１０Ｃに対して送信される。
【０１２２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２３】
たとえば、代替送信を行なう場合に、電子メールの本文先頭に、代替送信を示す情報と、第１の受信端末１０Ｂの端末識別情報（元のＳＩＰアドレス）とを付するようにしたが、代替送信を示す情報と第１の受信端末１０Ｂの端末識別情報とを兼用するように構成してもよい。すなわち、第１の受信端末１０Ｂの端末識別情報が付されていることが、代替送信であることも表わすようにしてもよい。
【０１２４】
また、実施の形態ではＳＭＴＰを使用して代替送信や一覧要求などを送信したが、別途の通信方式でもかまわない。また、通信方式に応じて制御データの付加方法などは適宜に変更されてもよい。制御データにおけるパラメータの内容は一例であり、より多くの情報をパラメータとして付加してもよい。たとえば、代替送信した場合、その画像データを印刷したり転送要求したりする権利を認証するための認証情報（パスワードなど）を制御データに付加するようにし、該認証情報により印刷や転送を制限するようにすればセキュリティが向上する。
【０１２５】
なお、第１の受信端末１０Ｂがリダイレクト設定で指定するリダイレクト宛先は１つに限定されるものではなく、複数宛先であってもかまわない。この際、一覧要求や転送要求の送信先は、複数のリダイレクト宛先の中のいずれか１つにすればよい。
【０１２６】
また、第３の受信端末１０Ｄや第２の受信端末１０Ｃは、原稿の読み取り機能や印刷機能などを備える必要はなく、たとえば、リダイレクト宛先にされる第２の受信端末１０Ｃは、転送された画像データを蓄積可能なファクシミリサーバのようなものでもかまわない。
【図面の簡単な説明】
【０１２７】
【図１】本発明の実施の形態に係わるネットワークファクシミリ装置の概略構成、およびネットワークファクシミリシステムの構成例を示す説明図である。
【図２】ネットワークファクシミリシステムの詳細構成およびメソッドと応答のやり取りを例示した説明図である。
【図３】送信側のネットワークファクシミリ装置から受信側のネットワークファクシミリ装置に対してファクシミリ送信が行なわれる場合の通信手順を示す説明図である。
【図４】本発明の実施の形態に係わるネットワークファクシミリシステムにおけるデータフローを示す説明図である。
【図５】電子メールの本文先頭に付加する制御データを列挙した制御データ一覧表を示す説明図である。
【図６】送信端末における送信動作を示す流れ図である。
【図７】各ネットワークファクシミリ装置で行なわれるＳＭＴＰ送信処理を示す流れ図である。
【図８】各ネットワークファクシミリ装置で行なわれるＳＭＴＰ受信処理を示す流れ図である。
【図９】受信リストの表示処理を示す流れ図である。
【図１０】第２の受信端末に表示されるボックス選択画面および代替受信データ確認画面を示す説明図である。
【符号の説明】
【０１２８】
２…ネットワーク
５…ネットワークファクシミリシステム
１０…ネットワークファクシミリ装置
１０Ａ…送信端末
１０Ｂ…第１の受信端末
１０Ｃ…第２の受信端末（第１の受信端末のリダイレクト宛先）
１０Ｄ…第３の受信端末
１１…制御部
１２…画像読み取り部
１２ａ…画像読み取りＩ／Ｆ部
１３…画像記録部
１３ａ…画像記録Ｉ／Ｆ部
１４…操作表示部
１４ａ…操作表示Ｉ／Ｆ部
１５…画像記憶部
１７…ネットワーク情報記憶部
１８…ネットワークＩ／Ｆ制御部
３０…ＳＩＰサーバ
３１、３１Ａ、３１Ｂ…プロキシサーバ
３２…登録サーバ
３３…ロケーションサーバ
３４…リダイレクトサーバ
４０…制御データ一覧表
５０…ボックス選択画面
５１…代替受信ボックス釦
６０…代替受信データ確認画面
６７…削除釦
６８…プリント釦
６９…送信釦
【図１】
2007324948.tif 000003
【図２】
2007324948.tif 000004
【図３】
2007324948.tif 000005
【図４】
2007324948.tif 000006
【図５】
2007324948.tif 000007
【図６】
2007324948.tif 000008
【図７】
2007324948.tif 000009
【図８】
2007324948.tif 000010
【図９】
2007324948.tif 000011
【図１０】
2007324948.tif 000012